(57)【要約】  無針インジェクタが、概略、近位端部と遠位端部とそれらを貫通するボアを有するバレルと、バレル遠位端部に配置されボアと流体連絡するインジェクタヘッドと含む。エネルギ源がバレル近位端部に配置され、ボルトが、ボア内に配置され、ボアの中へ薬を引き出すために第１の位置から第２の位置まで内部往復運動をし、ボア内に嵌め込まれこのことにより第２の位置から第１の位置まで動作する際インジェクタヘッドを介して薬を押し出す。メカニズムは、エネルギ源を作動しボルト操作するように設けられる。
2007534345.tif 000002
【特許請求の範囲】
【請求項１】
無針インジェクタであって、
ハウジングと、
上記ハウジングの一つの端部に配置されるインジェクタヘッドと、
上記ハウジング内に配置され上記インジェクタヘッドを介して薬を噴出するピストンと、
上記ピストンと連結し、上記ピストンを上記インジェクタヘッドに向けて付勢して薬の噴出を実効化するエネルギ源と、
上記エネルギ源を作動するコントロールメカニズムと
を含む無針インジェクタ。
【請求項２】
無針インジェクタにおいて、
近位端部と遠位端部とそれらを貫通するボアを有するバレルと、
バレル遠位端部に配置され上記ボアと流体連絡するインジェクタヘッドと、
薬を保持し、バレル遠位端部近傍のポートを介して上記ボアと流体連絡する水薬瓶と、
バレル近位端部に配置されるガスカートリッジと、
上記ボア内に配置され、上記ポートを閉じる第１の位置から上記ポートを開く第２の位置まで内部往復運動をするボルトであって、上記ボアに嵌め込まれ、このことにより上記第１の位置から上記第２の位置まで動作する際上記水薬瓶から上記ボアの中へ薬を引き出し、上記第２の位置から上記第１の位置まで動作する際インジェクタヘッドを介して薬を押し出す、ボルトと、
手動により上記ボルトを第２の位置にまで動かすことができるコックスタブと、
上記ボルトとバレル近位端部との間の上記ボアの中で往復動作をするように配置されたハンマと、
上記ボルトと上記ハンマの間に配置され上記ハンマをバレル遠位端部に向かって押しやる主ばねと、
上記ボルトを第２の位置で解放自在に保持し、上記ボルトと上記ハンマの間で主ばねを圧縮する逆鉤と、
上記逆鉤に操作される関係の下で配置され、ハンマをバレル遠位端部に向かって駆動するためにばねをリリースするトリガと、
上記ボア内部に配置され、遠位端部を上記ボルトに付属させ近位端部をガスカートリッジに付属させ、上記ハンマを介して延在する、バルブチューブと、
カートリッジから上記バルブチューブへのガスの流れを制御するバルブシートを含むカップシールと、
上記バルブシートに対してカップシールを解放自在にシールするリアばねであって、上記カップシールは上記ハンマの衝撃により一瞬開かれガスを上記バルブチューブを介して流させ上記ボルトを第１の位置に押しやり、このことのよって上記インジェクタヘッドを介して薬を噴出するカップシールであり、
更に上記の一瞬の開きの後バルブシートに対してカップシールを閉じるリアばねと
を含む無針インジェクタ。
【請求項３】
無針インジェクタにおいて、
近位端部と遠位端部とそれらを貫通するボアを有するバレルと、
バレル遠位端部に配置され上記ボアと流体連絡するインジェクタヘッドと、
薬を保持し、バレル遠位端部近傍のポートを介して上記ボアと流体連絡する水薬瓶と、
バレル遠位端部に回転するように装着され、ガスカートリッジを収容するための内部の複数チャンバを有するシリンダと、
上記ボア内に配置され、上記ポートを閉じる第１の位置から上記ポートを開く第２の位置まで往復運動をするボルトであって、上記ボアに嵌め込まれ、このことにより上記第１の位置から上記第２の位置まで動作する際上記水薬瓶から上記ボアの中へ薬を引き出し、上記第２の位置から上記第１の位置まで動作する際インジェクタヘッドを介して薬を押し出す、ボルトと、
合わせピンと、
上記ボルト近傍に配置され第１の位置から第２の位置に押しやるばねと、
ボルトの背面に配置されるハンマであって、ハンマ自身及びボアと整列した状態にある上記ガスカートリッジを移動させ合わせピン内に至らしめる、ハンマと、
上記バレル及び上記シリンダを支持するフレームと、
上記フレームにピボット自在に付属し、整列したカートリッジを合わせピン内に付勢して整列したカートリッジを刺すためにハンマを動かし、このことにより、第２の位置から第１の位置へボルトを駆動して上記インジェクタヘッドを介して上記ボア内の薬を押し出し、圧力が解放されるとばねがボルトを第１の位置から第２の位置へ付勢し繰り返しの注入のためにボアの中へ薬を引き出す、トリガと
を含む無針インジェクタ。
【請求項４】
無針ばねインジェクタにおいて、
底部半分シェルがリア端部から延在する管状ケーシングと、
ケーシングリア端部にヒンジ自在に付属する頂部半分シェルと、
上記管状ケーシングの前面端部に着脱自在に付属するノーズキャップと、
上記ノーズキャップの一つの端部内に配置されるインジェクタヘッドと、
上記管状ケーシング内部に交換自在に配置されインジェクタヘッドと流体連絡するシリンジと、
上記管状ケーシング内部に滑動自在に配置され上記シリンジの一つの端部と係合し、上記インジェクタヘッドを介して薬を噴出するプランジャと、
底部半分シェルと頂部半分シェルの間に配置され上記プランジャを滑動自在に移動させるプッシュロッドと、
上記プッシュロッドのリア部位付近に配置され、上記プッシュロッドを駆動するばねと、
上記プッシュロッドの前方部位に配置されたラチェットと、
手動での押下のための上記管状ケーシングから外へ延在するボタンと上記ラチェットと解放自在で係合する逆鉤とを含み、上記管状ケーシング内部にピボット自在に装着される手動操作トリガと、
上記プッシュロッド及び上記頂部半分シェルと係合し、上記頂部半分シェルが上記底部半分シェルからヒンジ状で開口する際に上記ばねを圧縮するコックメカニズムであって、上記逆鉤を上記ラチェットと係合させることによって上記ばねが圧縮状態で保持され、上記ボタンの押下により上記ラチェットから上記逆鉤が解放され、このことでばねが伸張して上記プッシュロッド及び上記プランジャを前方方向に駆動し更に上記インジェクタヘッドを介して上記シリンジから上記薬を噴出する、コックメカニズムと
を含む無針ばねインジェクタ。
【請求項５】
無針プッシュリリースインジェクタにおいて、
遠位端部、近位端部及び中心ボアを有するハウジングと、
ハウジング遠位端部から延在し、リア部位がハウジングボア内に滑動自在に配置されているコックリングと、
上記コックリング内部に滑動自在に配置され、前面端部とリア端部を有しチャンバが前面端部近くに配置されているシリンダと、
薬を保持し、ハウジング近位端部内に配置され、上記チャンバと流体連絡する水薬瓶と、
シリンダ第１端部に配置され上記チャンバと流体連絡するインジェクタヘッドと、
上記コックリング内部に滑動自在で配置され、前面ヘッドが上記シリンダ内部で滑動自在で配置されリアヘッドがハウジングボア内部で滑動自在で配置されたピストンであって、前面ヘッドは上記シリンダに嵌め込まれ第１の位置から第２の位置へピストンが動く際に一方バルブを介して上記水薬瓶から上記チャンバの中へ薬を引き出し、第２の位置から第１の位置へピストンが動く際にインジェクタヘッドを介して薬を押し出す、ピストンと、
ハウジング近位端部と上記ピストンのリアヘッドとの間に配置されたばねと、
圧縮されたばねにより第２の位置に上記ピストンを解放自在で保持する逆鉤であって、上記逆鉤は逆鉤ばねとテーパ状端部を含み、逆鉤ばねは上記テーパ状端部をピストンリアヘッドと解放自在に係合せしめる、逆鉤と
を含み、
上記シリンダリア端部は逆鉤テーパ状端部に操作される関係の下に配置され、ピストンリアヘッドから上記逆鉤を解放して上記ばねに対し上記ピストンを上記第１の位置に駆動することを特徴とする無針プッシュリリースインジェクタ。
【請求項６】
プッシュプル無針インジェクタにおいて、
遠位端部及び近位端部を有するハウジングと、
遠位端部にて上記ハウジング内部に配置されたチャンバと、
ハウジング遠位端部に配置され、上記チャンバと流体連絡するインジェクタヘッドと、
薬を保持し、一方バルブを介して上記チャンバと流体連絡する水薬瓶と、
上記ハウジング内部に滑動自在で配置され、ピストンヘッドが上記チャンバ内部で滑動自在で配置されステムがハウジング近位端部内で配置されたピストンであって、上記ピストンヘッドは上記チャンバに嵌め込まれ第１の位置から第２の位置へピストンが動く際に一方バルブを介して上記水薬瓶から上記チャンバの中へ薬を引き出し、第２の位置から第１の位置へピストンが動く際にインジェクタヘッドを介して薬を押し出す、ピストンと、
ピストンステム周りに配置され第２の位置から第１の位置へ上記ピストンを付勢するばねと、
ハウジング近位端部を覆って滑動自在に配置され、上記ばねを圧縮するコックグリップと、
圧縮されたばねにより第２の位置に上記ピストンを解放自在で保持する逆鉤と、
逆鉤に操作される関係の下に配置され、上記ばねを解放して上記ピストンを上記第１の位置に駆動するトリガと
を含むプッシュプル無針インジェクタ。
【請求項７】
インライン無針インジェクタにおいて、
近位端部及び遠位端部を有する中空ケーシングと、
ケーシング遠位端部に配置されるインジェクタヘッドと、
ケーシング遠位端部のケーシング内部に配置されるチャンバと、
薬を保持し、ケーシング近位端部のケーシング内部に配置される水薬瓶と、
上記水薬瓶から上記チャンバに薬を移送するマニフォルドと、
上記水薬瓶の中に薬が移動するのを防ぐため、上記マニフォルドの中に配置される一方バルブと、
チャンバ内部に滑動自在に配置され、上記インジェクタヘッドを介して薬を押し出し、上記マニフォルドを介して上記水薬瓶からチャンバの中に薬を引き込むピストンと、
上記ピストンの近位端部の背後に配置されピストン近位端部の背後にガスを注入しケーシング遠位端部に向かってピストンを駆動して上記インジェクタヘッドを介して薬を押し出すガスマニフォルドと、
マニフォルドと流体連絡し、ピストン近位端部の背後のガス注入を制御するバルブと、
上記ピストンをケーシング近位端部に向かって動かし、このことにより上記マニフォルドを介して上記水薬瓶からチャンバの中に薬を引き出すための手段と
を含むインライン無針インジェクタ。
【請求項８】
上記水薬瓶がケーシング内部に着脱自在に配置されることを特徴とする請求項７に記載のインジェクタ。
【請求項９】
上記ピストンをケーシング近位端部に向かって動かすための手段が、上記ピストンに付属するコックスタブを含むことを特徴とする請求項７に記載のインジェクタ。
【請求項１０】
上記ピストンをケーシング近位端部に向かって動かすための手段が、上記ピストン周囲に配置されたばねを含むことを特徴とする請求項７に記載のインジェクタ。
【請求項１１】
無針ソレノイド駆動インジェクタにおいて、
近位端部及び遠位端部を有するハウジング、
ハウジング遠位端部の上記ハウジング内部に配置されるシリンダと、
上記シリンダの一つの端部に配置されるインジェクタヘッドと、
ハウジングの遠位端部に配置される、薬を保持するための水薬瓶と、
シリンダ及び水薬瓶と相互に接続し、上記水薬瓶から上記シリンダへ薬を移送するマニフォルドと、
上記シリンダから上記水薬瓶の中に薬が流れるのを防ぐため、上記マニフォルドの中に配置される一方バルブと、
磁場の印加によって動作可能となるプランジャであって、シリンダ内部に滑動自在に配置された第１の端部を有し、上記インジェクタヘッドに向かって移動する際に上記インジェクタヘッドを介してシリンダ内の薬を押し出し、上記インジェクタヘッドから離れて移動する際に上記水薬瓶から上記シリンダの中に薬を引き込むプランジャと、
プランジャの上記第１の端部と第２の端部の間にプランジャ周りに配置され、電流が加えられると上記インジェクタヘッドに向かってプランジャを押しやるという操作をするように間に配置されるソレノイドと、
上記ソレノイドへの電流の印加を制御するためのトリガスイッチと、
上記ソレノイドと上記第２の端部との間のプランジャ周囲に配置され、電流が上記ソレノイドに加えられなくなった後、上記インジェクタヘッドからプランジャを押し離すのであり、このことにより上記マニフォルドを介して上記水薬瓶から上記シリンダの中に薬が引き出される、ばねと
を含む無針ソレノイド駆動インジェクタ。
【請求項１２】
上記水薬瓶が上記ハウジング内部に着脱自在に配置されることを特徴とする請求項１１に記載のインジェクタ。
【発明の詳細な説明】
【発明の詳細な説明】
【０００１】
本発明は、概略、薬インジェクタに関し、特に、無針インジェクタに関する
【０００２】
投薬を経皮的に行うための多数のインジェクタが開発されている。これらの装置の全ては、患者の経皮面を介して薬を進める十分なエネルギが必要である。そのエネルギは、機械的レバレッジ、ばね、圧縮気体若しくは電気ソレノイドを利用して与えられ得る。
【０００３】
インジェクタは、それ単体としても開発されるし、再充填薬及びエネルギ供給システムを備えていてもよい。これらのシステムは全て、経皮貫通に十分な圧力で薬を全て射出するように、ピストンなどに十分な力を加えることが必要である。
【０００４】
本発明は、エネルギ源によりインジェクタヘッドを介しピストン若しくはボルトを用いて薬を経皮状で供給する無針インジェクタに関する。
【０００５】
［発明の概要］
本発明に係る無針インジェクタは、概略、インジェクタヘッドを伴うハウジング、ケーシング、若しくはバレル、及び、作動エネルギのリリースの際にインジェクタヘッドを介して薬を押し出すピストン、モールド、若しくはシリンダを含む。
【０００６】
［詳細な説明］
図１−図４を参照すると、中を貫通するボア２０を伴い近位端部１４及び遠位端部１６を有するバレル１２を概略含む、本発明に係る無針インジェクタ１０の第１の実施形態が示される。
【０００７】
インジェクタヘッド２２は、バレル遠位端部１６に配置され、該インジェクタヘッド２２はボア２０と流体連絡しこれによりその中を介して薬の注入を行う。
【０００８】
水薬瓶２６は、ＢＯＴＯＸ（登録商標）などの薬を保持するために設けられているものであり、水薬瓶はバレルの遠位端部１６近傍でボア２０と流体連絡する。水薬瓶２６はバレル１２に着脱自在で付属するのが好ましい。
【０００９】
ガスカートリッジ３０は、バレル近位端部１４に配置される。ボルト３２は、ボア２０内に配置され、ポート２８を閉じる第１の位置から、ボア２０内の薬のリリースのためポートを開く第２の位置にまで、相互に移動する。
【００１０】
ボルト３２は、ボルト３２とボア２０の間に十分な密閉を与えるように寸法取りされて嵌め込まれており、第１の位置から第２の位置へボルト３２を動かして水薬瓶からボア２０の中に薬を引き入れ、第２の位置から第１の位置へボルト３２を動かしてインジェクタヘッドを介して薬を押し出す。このことは以下により詳細に記す。
【００１１】
コックスタブ３４は、第１と第２の位置からボルト３２を手動できるように設けられている。このコックの動きにおいて、ポート２８を介してボルト３２とインジェクタヘッド２２の間のボア２０の中に、薬が引き込まれる。
【００１２】
バレルと遠位及び近位端部１２、１４との間のボア２０内部で相互移動するように、ハンマ４０が設けられ配置されている。ボルト３２とハンマ４０の間に主ばね４２が設けられバレル遠位端部１６に向かってハンマを押しやる。
【００１３】
ボルト３２とハンマ４０の間に主ばねを圧縮して第２の位置でボルト３２を解放自在に保持するために、逆鉤４６が設けられ、トリガ４８は逆鉤４６と関連して動作するように設けられ、バレル遠位端部１６に向かってハンマを駆動するためにばね４２をリリースする。
【００１４】
バルブスタブ５２は、ボア内部に配置され、このときその遠位はボルト３２に付着し近位端部はガスカートリッジ４２に付着する。バルブチューブ５２はハンマ４０及び主ばね４２を経由して伸展する。
【００１５】
カップシール５６は、カートリッジ３０からバルブチューブ５２の中への気体の流れを制御するバルブシート５８を含む。
【００１６】
ここで、バルブシート５８に対してカップシール５６を解放自在にシールするために、リアばね６０が設けられている。カップシール５６は、逆鉤４６によるリリースの後ハンマ４０のインパクトにより一瞬開き、これにより、気体がバルブチューブ５２を介して流れることができ、ボルト３２が、インジェクトヘッド２２を介して薬を噴出する第１の位置に押しやられる。リアばね６０はその後、一瞬の開口の後バルブシート５８に対してカップシール５６を閉じる。
【００１７】
操作時に、ボルト３２がコックされないと、前方位置が、バレル１２を介して延在するボア２０の中への薬の進入をブロックする。インジェクタ１０をコックするために、コックスタブ３４が後方に動かされ、主ばね４２に向かって押され、これによりボルト３２はハンマ４０に対して接合する。この動作により、水薬瓶２６とボア２０の間のポート２８が開き、インジェクタヘッド２２とボルト３２の間のボア２０の中に薬が引き出される。ボルト３２がハンマ４０に対して押しやられると逆鉤４６はボルト３２を捕捉し、このことにより、ボルト３２とハンマ４０が一体化され、それらは一つのユニットとして移動する。
【００１８】
薬を注入するため、トリガ４８が押されてハンマ４０をボルト３２からリリースする逆鉤４６をリリースし、主ばね４２はハンマ４０を後方に推進し、リアばね６０に打ち勝つのに十分な力でバルブを後方に推進するバルブチューブ５２を一瞬押す。このとき、ガス圧力はチューブ５２を介してガスカートリッジ３０からリリースされ、このことにより、ボルト３２は、ボルト３２の前方とインジェクタヘッド２２との間に配置された薬を素早く押し、インジェクタヘッド２２を介して噴射する。
【００１９】
図５−図９を参照すると、本発明に係る無針インジェクタ１１０の第２の実施形態は、概略、間をボア１２０が貫通する遠位端部１１４と近位端部１１６を有するバレル１１２を含む。噴射ヘッド１２４は、バレル遠位端部１１４に配置され、該遠位端部１１４は、薬を噴射するためのボア１２０と流体連絡する。
【００２０】
水薬瓶１２８は、ＢＯＴＯＸ（登録商標）などの薬を保持するように設けられ、水薬瓶１２８は、バレル遠位端部１１４近傍でオーディオインプットポート４３８０と１３０を介してボア１２０と流体連絡している。水薬瓶１２８は、バレル１１２に着脱自在に取り付けられ、該バレル１１２はフレーム１３４に支持されるのが好ましい。
【００２１】
シリンダ１３６は、バレル近位端部１１６にてフレーム１３４により回転自在に支持され、ガスカートリッジ１４２を受けるための複数のチャンバを内部に含む。
【００２２】
ボルト１４４は、図４に示すようなポート１３０を閉じる第１の位置から、ボアに薬をリリースするためポート１３０を開けた図３に示すような第２の位置まで、往復動作するためのボア１２０の中に配置される。
【００２３】
ボルト１４４はボア１２０の中に嵌め込まれ、これにより第１の位置から第２の位置に移動する際に、ライン１４８を介してポート１３０を経て水薬瓶１２８から薬が引き出される。以下に述べるように第２の位置から第１の位置へボルトを移動すると、インジェクタヘッド１２４を介して薬が押し出される。インジェクタヘッドは、従来の設計のものでよい。
【００２４】
ばね１５２はボルト１４４の近傍に配置され、以下に説明するように、第１の位置から第２の位置へボルト１４４を駆動する。
【００２５】
合わせピン１６０がボルト１４４とシリンダ１３６の間に配置され、シリンダ１３６を回転することによってハンマ１５６及びボア１２０と整列されるガスカートリッジ１４２を刺すようにしてもよい。フレーム１３４にピボット自在に搭載されたトリガ１６４は、ハンマ１５６と整列されたカートリッジ１４２を押しやりカートリッジ１４２を刺すためのリンケージ１７０を利用するのであり、このことにより、第２の位置から第１の位置へボルト１４４を空気作用で駆動し、図４に示すように、噴射ヘッドを介してボアの中の薬を押し出す。圧力のリリースの後、ばね１１２はボルト１４４を第１の位置から第２の位置へ押しやり、繰り返しの注入のためにボア１２４の中へ薬を引き出す。
【００２６】
内部の圧力のリリースのためにガスカートリッジ１４２をハンマと係合するように動かす前に、シリンダ１３６がボア１２０及びハンマ１５６と整列するように手動で回されるようにしてもよく、つめ及びラチェット構成がシリンダ１３６を回転するように設けられるようにしてもよい。
【００２７】
図１０及び図１１を参照すると、本発明に係る無針ばねインジェクタ２１０の第３の実施形態は、概略、管状ケーシング２１２を含む。該管状ケーシング２１２では、底部半分シェル２１４が管状ケーシング２１２のリアの端部２１６から延在する。
【００２８】
頂部半分シェル３３０はケーシングのリアの端部２１６にヒンジ自在に付属し、底部半分シェル２１４を覆う。
【００２９】
ノーズキャップ２２２は管状ケーシング２１２の前方端部２２６に着脱自在に付属され、インジェクタヘッド２３０はノーズキャップ２２２の端部２３２内に配置される。図１２及び図１３内により明確に示されるように、シリンジ２４０が管状ケーシング２４０内部に取り替え自在に配置され、該シリンジ２４０はインジェクタヘッド２３０と流体連絡するものである。プランジャ２４２が管状ケーシング２１２の内部に滑動自在に配置されており、インジェクタヘッド２３０を介して薬を噴射するためにシリンジ２４０の一つの端部２４６に係合している。
【００３０】
プッシュロッドは、頂部半分シェル２２０と底部半分シェル２１４の間に収容され、プランジャ２４２を滑動自在に動かすようにされており、ばね２５６はプッシュロッド２５０のリア端部２６０近傍に設けられプッシュロッドを駆動する。
【００３１】
ラチェット２６２は、プッシュロッドの前方位置２６４に接して配置され、管状ケーシング２１２内部にピボット自在に搭載された手動操作トリガ２７０は、管状ケーシング２１２から外方に延在しリンクメカニズム２７４、及びラチェット２６２と解放自在に係合する逆鉤２７６を手動で押下するためのボタンを含む。
【００３２】
図１４−図１６は、ＢＯＴＯＸ（登録商標）などの薬の一回服用分を噴射するための、ラチェット２６２及びプッシュロッド２５０の単回の前方動作を始めるボタン２７２の押下を示す。
【００３３】
図１７及び図１８は、プッシュロッドラチェット２６２と係合し、底部半分シェル２１４から頂部半分シェル２２０がヒンジ状に開いたときにばね２５６を押し込むコックメカニズム２８０を示す。ばね２５６は、逆鉤２７６がラチェット２６２と係合することによって圧縮状態で保持される。
【００３４】
図１９及び図２０を参照すると、概略、コックリング３１４、シリンダ３１６、インジェクタヘッド３１８、水薬瓶３２０、ピストン３２２、バルブ３２４、及びばね３２６を伴うハウジング３１２を示す、本発明に係る無針プッシュリリースインジェクタ３１０の第４の実施形態が示されている。図２１及び図２２を参照すると、ハウジング３１２は、ボア３３４を内部に含む遠位端部３３０と近位端部３３２を含む。コックリング３１４はハウジング遠位端部３３０から延在し、ハウジングボア３３４内部に配置されるリア部位３３８を含む。
【００３５】
シリンダ３１６は、コックリング３１４内部に滑動自在に配置され、前方端部３４２及びリア端部３４４を含み、チャンバ３４６が前方端部３４２の直近に配置されている。薬を保持する水薬瓶３５０が、近位端部３３２に対して配置され、ディップチューブ３２４及びチェックバルブ３２４を介してチャンバ３４６と流体連絡している。
【００３６】
インジェクタヘッド３１８は、シリンダ前方端部３４２に配置され、チャンバ３４６と流体連絡している。インジェクタヘッドは適切なデザインであればよい。
【００３７】
ピストン３６４は、コックリング３１４内部に滑動自在に配置され、シリンダ３１６内部に滑動自在に配置された前方ヘッド３６６と、ハウジングボア３３４内部に滑動自在に配置されたリアヘッド３６８を含む。
【００３８】
前方ヘッド３６６はシリンダ３１６に嵌め込まれ、このことにより、図２２に示す第１の位置から図２１に示す第２の位置へピストンが動くと、一方バルブ３２４を介して薬を水薬瓶３５０からチャンバの中に引き入れる。第１の位置から第２の位置へピストンが動かされると、インジェクタヘッド３１８を介してチャンバ３４６から薬が押し出される。
【００３９】
主ばね３７２は、ハウジング近位端部３３２とピストンリアヘッド３６８の間に配置され、逆鉤３８０は、主ばね３７２が圧縮される第２の位置でピストン３６４を解放自在に保持するように設けられる。逆鉤３８０は、逆鉤ばね３８２と、ピストンリアヘッド３６８と解放自在に係合するテーパ状端部３８４とを含む。
【００４０】
利用時には、インジェクタヘッド３１８は皮膚３６０に対して圧され、このことでシリンダ３１６の後方の動作が生じ、シリンダリア端部３４４はテーパ状端部３８４に対して付勢され、このことで矢印３９０方向の逆鉤の動作と、ピストンリアヘッド３６８及びピストン３６４をリリースする逆鉤の圧縮が生じる。このとき、ばね３７２はピストン前方ヘッド３６６をチャンバ３４６の中に押しやり、ピストン前方ヘッド３６６は矢印３７０で示されるように薬をインジェクタヘッド３１８を介して押し出す。
【００４１】
装置を再びコックするため、コックリング３１４が矢印３９４の方向に動かされ、これにより、ピストン端部３８４が動かされて逆鉤３８０がピストンリアヘッド３６８に再び係合する。
【００４２】
図２３に示されるように、コックリングは、回転を防ぐためのガイド３９６を含んでもよい。
【００４３】
図２４を参照すると、ハウジング４１２、インジェクタヘッド４１４、例えばＢＯＴＯＸ（登録商標）などの薬を保持する水薬瓶４１６、コックグリップ４２０、及びトリガ４２２を概略含むプッシュプル無針インジェクタ４１０の第５の実施形態を示している。
【００４４】
図２５−図２７に示すように、ハウジング４１２は、遠位端部４２６及び近位端部４２８を含み、チャンバ４３０は遠位端部４２６にてハウジング内部４１２に配置されている。
【００４５】
インジェクタヘッドは、従来のデザインのものでよいのであるが、ハウジング遠位端部４２６に配置され、チャンバ４３０と流体連絡している。
【００４６】
水薬瓶４１６は、上記で参照したように、薬（図示せず）を保持する交換可能容器４３４を支持し、ディップチューブ４３６及び一方バルブ４３８を介してチャンバと流体連絡している。
【００４７】
ピストン４４０は、ハウジング４１２内部に滑動自在に配置され、チャンバ４３０内部に滑動自在に配置されたピストンヘッドと、ハウジング４２８内に配置された独立の移動自在のステム４４４とを含む。ピストンヘッド４４２はチャンバ４３０内部に嵌め込まれ、このことにより、図２６に示す第１の位置から図２７に示す第２の位置までピストンヘッドが移動する際に、一方バルブ４３８及びディップチューブ４３６を介して水薬瓶４１６からチャンバ４３０の中に薬を引き出す。チャンバ内への流体の流入は図２７の矢印４５０で示される。
【００４８】
図２５に示す第２の位置から図２６に示す第１の位置までピストンヘッド４４２を移動することにより、薬がインジェクタヘッド４１４を介して押し出される。噴射される薬は矢印４５２により示されている。ピストンステム４４４に接するヘッド４５４は滑動自在にステム４４４と繋がり、ピストンヘッド４４２は前方プレート４６０と後方プレート４６２の間に位置する。
【００４９】
図２５−図２７に示すように、ばね４６６は後方プレート４６２と端プレート４７０の間でピストンステム４４４周りに配置され、該ばね４６６は、ハウジング近位端部４２８を覆って滑動自在に配置されるコックグリップ４２０によって圧縮される。コックグリップを相互に移動させると、図面に示すように、ばねを圧縮する。逆鉤は、図２６と図２７に示すように、後方プレート４６２を係合させてばね４６６を圧縮する第２の位置でピストン４４４を解放自在に保持するために、設けられる。
【００５０】
トリガ４２２は、ハウジング４１２上にピボット自在に配置される。更にトリガ４２２は、前方プレート４６０と共にピストン４４２を第１の位置に駆動しチャンバ４３０容積で決定される計測された服用量の薬を噴射するために、逆鉤４７４によりばね４６６を解放させ得るという操作上の関係にある。
【００５１】
図２８及び図２９を参照すると、ハウジング５１２、インジェクタヘッド５１４、例えばＢＯＴＯＸ（登録商標）などの薬を保持するための水薬瓶５１６、回転自在グリップ５２０、及びトリガ５２２を概略含むツイストセット無針インジェクタ５１０の第５の実施形態が示されている。
【００５２】
図３０−図３２に示すように、ハウジング５１２は、遠位端部５２６及び近位端部５２８を含んでおり、チャンバ５３０が遠位端部５２６にてハウジング５１２内部に配置されている。
【００５３】
インジェクタヘッド５１４は、従来のデザインのものでよいのであるが、ハウジング遠位端部５２６に配置され、チャンバ５３０と流体連絡している。
【００５４】
水薬瓶５１６は、上記で参照したように、薬（図示せず）を保持する交換可能容器５３４を支持し、ディップチューブ５３６及び一方バルブ４３８、例えばダックビルバルブを介してチャンバと流体連絡している。
【００５５】
ピストン５４０は、ハウジング５１２内部に滑動自在に配置され、チャンバ５３０内部に滑動自在に配置されたピストンヘッド５４２と、ハウジング５１２内に配置された移動自在のステム５４４とを含む。ピストンヘッド５４２はチャンバ５３０内部に嵌め込まれ、このことにより、図３１に示す第１の位置から図３２に示す第２の位置までピストンヘッドが移動する際に、一方バルブ５３８及びディップチューブ５３６を介して水薬瓶４１６からチャンバ４３０の中に薬を引き出す。チャンバ内への流体の流入は図３２の矢印５５０で示される。
【００５６】
図３１に示す第２の位置から図３０及び図３２に示す第１の位置までピストンヘッド５４２を移動することにより、薬がインジェクタヘッド５１４を介して押し出される。噴射される薬は矢印５５２により示されている。ピストンステム５４４に接するヘッド５５４は滑動自在にステム５４４と繋がり、ピストンヘッド５４２は前方プレート５６０と後方プレート５６２の間に位置する。
【００５７】
図３０−図３２に示すように、ばね５６６は後方プレート５６２と端プレート５７０の間でピストンステム５４４周りに配置され、該ばね５６６は、ハウジング近位端部５２８にてねじ回転自在に配置される回転グリップ５２０によって圧縮される。コックグリップを回転して動作させると、図面に示すように、ばね５６６を圧縮する。逆鉤５７４は、図３０に示すように、後方プレート５６２を係合させてばね５６６を圧縮する第２の位置でピストン５４４を解放自在に保持するために、設けられる。
【００５８】
トリガ５２２は、ハウジング５１２上にピボット自在に配置される。更にトリガ５２２は、前方プレート５６０と共にピストン５４２を第１の位置に駆動しチャンバ５３０容積で決定される計測された服用量の薬を噴射するために、逆鉤５７４によりばね５６６を解放させ得るという操作上の関係にある。
【００５９】
図３３及び図３４を参照すると、近位端部６１６及び遠位端部６１８を伴う中空ケーシング６１４を有するインライン無針インジェクタ６１０の第７の実施形態が示されており、インジェクタヘッド６２２は、ケーシング遠位端部６１８に配置され、例えばＢＯＴＯＸ（登録商標）などの薬を保持するための水薬瓶５１６は、ケーシング近位端部６１６においてケーシング６１４内部に配置されている。
【００６０】
ドラッグマニフォルド、即ちライン６３０は、ディップ６３４を介して水薬瓶６２６と更にチャンバ６３８と連絡し、水薬瓶６２６からチャンバ６３８の中に薬を移送する。ドラッグマニフォルド６３０内に配置される、例えばダックビルバルブのような一方バルブ６４２は、チャンバから水薬瓶への薬の逆送を防ぐ。
【００６１】
ピストン６４６はチャンバ内部に設けられて滑動自在に配置され、インジェクタヘッド６３２を介して薬を押し出し、マニフォルドを介して水薬瓶６２６からチャンバ６３８内に薬を引き出す。ガスマニフォルド６４６は、ピストン６４６の近位端部６５２の背後に配置され、ピストン近位端部６５２の背後のライン６５４からガスを注入し、ケーシング遠位端部６１８に向かってピストン６４６を駆動しインジェクタヘッド６２２を介して薬を押し出す。
【００６２】
実施形態６１０では、ピストンをケーシング近位端部６１６に向かって移動させ、後続の注入のために水薬瓶６２６からチャンバ６３８の中へ薬を引き出すように、コックスタブ６５６が設けられてもよい。
【００６３】
図３６及び図３７を参照すると、本発明に係るインライン無針インジェクタの別の実施形態６６０が示されている。共通の参照符号は、図３３及び図３４に示すインジェクタに関して上述の内容に従って、同一の若しくは実質的に同様に要素を表す。
【００６４】
図３３及び図３４では示していない手動操作ガスバルブ６６４が、ケーシング６１４の近傍に配置され、これによりマニフォルド６５０中へのガスライン６６８を介するガスの制御が可能とされる。実施形態６６０では、薬の排出後ピストン６４６をケーシング近位端部６１６に向かって移動させ、このことにより水薬瓶６２６からドラッグマニフォルド６３０を介して薬を引き出す手段として、ばね６６８が設けられている。
【００６５】
インジェクタ６６０の操作が、図３５及び図３６の夫々に示されている。図３５では、薬が充填されたチャンバが、ピストン近位端部６５２がガスマニフォルド６５０の近傍に有る状態で、配置されたピストンにより噴射する準備が整っている。ガスバルブ６６４を開くと、ガスはケーシング遠位端部に向かってピストンを駆動し、図３６に示すようにインジェクタ６２２を介して薬を押し出す。
【００６６】
図３７及び図３８を参照すると、近位端部７１６及び遠位端部７１８を有するハウジング７１２を含む本発明に係る第８の実施形態の無針インジェクタ７１０が示されており、ここでシリンダ７２２がハウジングの遠位端部７１８にてハウジング７１２内に配置されおり、インジェクタヘッド７２６がシリンダ７２２の一つの端部７３０に配置されている。好ましくはＢＯＴＯＸ（登録商標）である薬を保持する水薬瓶７３４は、ハウジングの近位端部７１６にてハウジング７１２内部に配置される。マニフォルド７３８は、シリンダ７２２を水薬瓶７３４と相互に接続し、水薬瓶７３４内部に配置されたディップチューブを用いて水薬瓶７３４からシリンダ７２２へ薬を移送する。
【００６７】
プランジャ７４４は、シリンダ７２２内部に滑動自在に配置された第１の端部、即ちピストン７４８を含む。該ピストン７４８は、プランジャ７４４がインジェクタヘッド７２６に向かって移動する際にインジェクタヘッド７２６を介してシリンダ７２２内の薬を押し出し、プランジャ７４４がインジェクタヘッド７２６から離れて移動する際に水薬瓶７３４からシリンダ７２２の中に薬を引き込む。以下に記すように、プランジャ７４４は、ソレノイドスタック７５２で与えられる磁場の印加によって、操作可能若しくは移動可能となる。ソレノイド７５２は、プランジャ７４４の第１の端部７４８と第２の端部７５６の間にプランジャ７４４周りに配置される。ソレノイド７５２は、例えば１１０ボルト交流ライン７６４などの電源に接続されたトリガスイッチ７６０により制御される電流が加えられると、インジェクタヘッド７２６に向かってプランジャ７４４を押しやるという操作をするように、配置される。
【００６８】
ばね７６８は、ソレノイド７５２と第２の端部７５６との間のプランジャ７４４周りに配置され、電流がソレノイド７５２に加えられなくなった後、インジェクタヘッド７２６からプランジャ７４４を押し離すのであり、このことにより上述のように水薬瓶７３４からシリンダ７２２の中に薬が引き出される。
【００６９】
図３９及び図４０に明確に示されるように、水薬瓶７３４は、ハウジング７１２の近位端部７１６と遠位端部７１８との間の連結７７０により、ハウジングから着脱自在であってもよい。
【００７０】
装置の操作は図３９と図４０に示されており、図３９は充填状態にあるインジェクタ７１０を示し、プランジャ７４４はシリンダ７２２の近位端部７７２に配置している。
【００７１】
トリガスイッチ７６０で制御される電流を印加してソレノイド７５２にエネルギを与えると、プランジャ７４４は図４０に示されるようにシリンダ７２２の遠位端部７７６に付勢され、図７８０で示すようにインジェクタヘッド７２６を介して薬を押し出す。図３９に一部を示す電気配線７８４は、従来技術のように電源線７６４、トリガ７６０及びソレノイドと接続する。
【００７２】
インジェクタヘッド７２６を介して薬を噴射した後、スイッチ７６０により電力がソレノイドから除去され、ばね７６８はプランジャをインジェクタヘッドから押し離すことができ、更にプランジャの第１の端部、即ちピストン７４８はシリンダ７２２の近位端部７７２に引き寄せられる。
【００７３】
本発明が有利に利用されるように提示するという目的のために、本発明に係る特定の無針インジェクタを上記で説明したが、本発明はこれらに限定されないということが理解されるべきである。即ち、本発明は、列挙の要素を含んでもよく、それらから構成されてもよく、若しくは本質的にそれらで構成されてもよい。更に、本明細書でとりたてて開示していない要素が無くても、本明細書で図示し開示した本発明は、適切に実施され得る。従って、当業者が想到し得る修正、変更若しくは均等な構成のどれであっても、若しくは全ては、添付の請求項に定義される本発明の範囲の範囲内にあると考えるべきである。
【図面の簡単な説明】
【００７４】
【図１】ハウジング、インジェクタヘッド、及びトリガを伴う水薬瓶を概略示す本発明の第１の実施形態の斜視図である。
【図２】側面図、及び、図１に示すハウジング内部に設ける機構の部分断面図であり、インジェクタヘッド、水薬瓶、ボルト、コック鋲、バルブチューブ、メインばね、ハンマ、逆鉤、バルブシート、トリガ、カップシール、リアばね、及びガスカートリッジが、概略含まれる。
【図３】インジェクタヘッドを介して薬を注入するためのコックされた配置で示された、図２で示すボルトを伴うインジェクタの断面図である。
【図４】インジェクタヘッドを介して薬を投与した後のロックの無い配置で示された、図３で示すボルトを伴うインジェクタの断面図である。
【図５】リボルバ無針インジェクタを含む本発明に係る第２の実施形態の正面斜視図であり、概略、フレーム、バレル、水薬瓶、複数カートリッジを支持するシリンダ、及びトリガメカニズムを示している。
【図６】図５に示すインジェクタの背面斜視図である。
【図７】バレル遠位端部近くのポート、ハンマを伴いバレルボア内に設けられたボルト、及びばねメカニズムを示す図５のインジェクタの断面図であり、ボルトは、カートリッジを発射しインジェクタヘッドを介して薬を射出する前の、第１の配置で示されている。
【図８】トリガの圧縮と、ハンマ及び、ボルトを前方へ駆動するボアと整列するガスカートリッジの動きを示す、図７と同様のインジェクタ断面図であり、以下でより詳細に説明する。
【図９】図７のライン９−９に沿った断面図である。
【図１０】底部半分シェルと頂部半分シェルを有する管状ケーシングを概略示す本発明に係る第３の実施形態の斜視図である。
【図１１】管状ケーシング内に示すばねのコックの間の、開口の配置での頂部半分シェルを示す図１０と同様の斜視図である。
【図１２】コックされた配置のばね、プランジャラチェット、プッシュロッド、シリンジ及びトリガを示す、図１０と図１１の無針ばねインジェクタの断面図である。
【図１３】ばねによりプランジャの前方動作を生じるラチェットの１工程の動きと、インジェクタヘッドを介する薬の注入を示す、図１２と同様の断面図である。
【図１４】第３の実施形態のコックのメカニズムを示し、これはインジェクタの頂部半分シェルをヒンジで開くことで作用するものである。
【図１４】第３の実施形態のコックのメカニズムを示し、これはインジェクタの頂部半分シェルをヒンジで開くことで作用するものである。
【図１５】第３の実施形態のコックのメカニズムを示し、これはインジェクタの頂部半分シェルをヒンジで開くことで作用するものである。
【図１６】第３の実施形態のコックのメカニズムを示し、これはインジェクタの頂部半分シェルをヒンジで開くことで作用するものである。
【図１７】第３の実施形態のコックのメカニズムを示し、これはインジェクタの頂部半分シェルをヒンジで開くことで作用するものである。
【図１８】第３の実施形態のコックのメカニズムを示し、これはインジェクタの頂部半分シェルをヒンジで開くことで作用するものである。
【図１９】ハウジング、コックリングを示す実施形態に係る無針プッシュリリースインジェクタの第４の実施形態の斜視図である。
【図２０】コックリング及びインジェクタヘッドを伴い、水薬瓶、チェックバルブ、ピストン、ばねを含む内部部品を示す、図１９の実施形態の斜視図である。
【図２１】図１９−図２０に示すインジェクタの断面図であり、特に、インジェクタヘッドを介して（図示しない）患者の皮膚内に薬を注入することに向けてのリリースの前に、逆鉤により圧縮状態で、ばねを保持する、本実施形態の部品を示す。
【図２２】ユーザの皮膚によりインジェクタヘッドに加えられる圧力へのピストンのリリースを示す図２１と同様の断面図である。
【図２３】インジェクタヘッド、シリンダ、ピストン、及びコックリングの斜視図である。
【図２４】概略ハウジングを示すプッシュプルインジェクタ、薬の閉じ込めのための水薬瓶、インジェクタヘッド、コックグリップ、及びトリガを含む本発明の第５の実施形態の斜視図である。
【図２５】ハウジング内部に配置されるチャンバ、ハウジング内部に滑動自在に配置されるピストン、及び、チャンバ内部に嵌め込まれステムを有するピストンヘッドを、とりわけ示す図２４のインジェクタの断面図であり、該ステムは、ばねが周りに配置さればねが圧縮された第２の配置でピストンを保持する逆鉤を伴う。
【図２６】ピストンのリリースを示す図２５と同様の断面図であり、ばねはチャンバを介してピストンヘッドを押しておりこれによりインジェクタヘッドを介して薬を押す。
【図２７】ばねの引きと、後続の注入のための水薬瓶からチャンバの中への薬の引き入れを示す、図２５と図２６と同様の断面図である。
【図２８】概略ハウジングを示すツイストセットインジェクタ、インジェクタヘッド、回転自在グリップ、及びトリガを含む、本発明に係る第６の実施形態の斜視図である。
【図２９】薬の保持のための水薬瓶、ピストン、一方向バルブ、主ばね、及びチェックバルブを示す、図２８のインジェクタの部分分解平面図である。
【図３０】ハウジング内部に配置されるチャンバ、ハウジング内部に滑動自在に配置されピストンヘッドを伴うピストンを、とりわけ示す図２８及び図２９のインジェクタの断面図であり、該ピストンヘッドは、チャンバ内部に嵌め込まれステムを有し、該ステムは、ばねが周りに配置さればねが圧縮された第２の配置でピストンを保持する逆鉤を伴う。
【図３１】ピストンのリリースを示す図３０と同様の断面図であり、ばねはチャンバを介してピストンヘッドを押しておりこれによりインジェクタヘッドを介して薬を押す。
【図３２】ばねの引きと、後続の注入のための水薬瓶からチャンバの中へのグリップの回転による薬の引き入れを示す、図３０と図３１と同様の断面図である。
【図３３】概略ケーシングを示すインライン無針インジェクタ、ケーシングの遠位端部に配置されたインジェクタヘッド、及びガスラインを示す本発明の第７の実施形態の斜視図である。
【図３４】本発明に係る更なる実施形態の図であり、ピストンと共に内部に配置されるチャンバを有する中空ケーシング、ガスマニフォルド、薬マニフォルド、水薬瓶、ダックビルバルブ、及びコックスタブを概略示す、部分断面図である。
【図３５】ばねによるチャンバピストンバイアスを概略示す本発明の第２の更なる実施形態の断面図である。
【図３６】気体圧力を加えてピストンを駆動しインジェクタヘッドを介して薬を押しやる、図３５に示す実施形態に対応する断面図である。
【図３７】ハウジング、インジェクタヘッド、及び付属電源コードを概略示す本発明に係る無針ソレノイド駆動インジェクタの第８の実施形態の斜視図である。
【図３８】シリンダ、トリガで操作されるソレノイド駆動プランジャを伴って内部に配置されるピストン、マニフォルドを介する薬の流れを制御するチェックバルブ、ハウジング内部に配置された水薬瓶から薬を引き出すためのディップタブを示す、図３７のインジェクタの断面図である。
【図３９】図３７及び図３８に示す無針ソレノイド駆動インジェクタの動作を示す断面図であり、本発明に係る無針ソレノイド駆動インジェクタの動作を示す。
【符号の説明】
【００７５】
１０・・・無針インジェクタ１０、１２・・・バレル、１４・・・近位端部、１６・・・遠位端部、２０・・・ボア、２２・・・インジェクタヘッド、２６・・・水薬瓶、２８・・・ポート、３０・・・ガスカートリッジ、３２・・・ボルト、３４・・・コックスタブ、４０・・・ハンマ、４２・・・主ばね、４６・・・逆鉤、５２・・・バルブチューブ、５６・・・カップシール、５８・・・バルブシート、６０・・・リアばね。
【図１】
2007534345.tif 000003
【図２】
2007534345.tif 000004
2007534345.tif 000005
【図５】
2007534345.tif 000006
【図６】
2007534345.tif 000007
2007534345.tif 000008
【図１０】
2007534345.tif 000009
【図１１】
2007534345.tif 000010
【図１２】
2007534345.tif 000011
【図１３】
2007534345.tif 000012
2007534345.tif 000013
2007534345.tif 000014
【図１９】
2007534345.tif 000015
【図２０】
2007534345.tif 000016
【図２２】
2007534345.tif 000017
【図２３】
2007534345.tif 000018
【図２４】
2007534345.tif 000019
【図２４】
2007534345.tif 000020
【図２５】
2007534345.tif 000021
【図２６】
2007534345.tif 000022
【図２７】
2007534345.tif 000023
【図２８】
2007534345.tif 000024
【図２９】
2007534345.tif 000025
【図３０】
2007534345.tif 000026
【図３１】
2007534345.tif 000027
【図３２】
2007534345.tif 000028
【図３４】
2007534345.tif 000029
【図３５】
2007534345.tif 000030
【図３６】
2007534345.tif 000031
【図３７】
2007534345.tif 000032
【図３８】
2007534345.tif 000033
【図３９】
2007534345.tif 000034
【図４０】
2007534345.tif 000035
【国際調査報告】
2007534345.tif 000036
2007534345.tif 000037
2007534345.tif 000038
2007534345.tif 000039